(57)【要約】【課題】  一対のリード端子２，３と，この両リード端子の先端の部分を封止する光透過性合成樹脂製のレンズ封止体４とから成り，前記一方のリード端子の先端に一体に設けた板状延長片５における先端面６のうち前記レンズ封止体における光軸４ａ上に，カップ状の光反射用凹所７を設け，この光反射用凹所内に，前記他方のリード端子に金属線９にて接続される発光ダイオードチップ８をダイボンディングする一方，前記光反射用凹所内に，透明コーティング体１０を，前記板状延長片における先端面から盛り上がるように充填して成る発光ダイオードランプにおいて，前記レンズ封止体における光の指向性が前記透明コーティング体のために低下することを防止する。【解決手段】  前記板状延長片５のうち一方のリード端子２側の部分に，当該板状延長片の先端面における長手方向の長さ寸法Ｌを短くするようにした切欠部１１を設ける。【選択図】                    図１
2006303184.tif 000002
【特許請求の範囲】
【請求項１】
金属による一対のリード端子と，この両リード端子の先端の部分を封止する光透過性合成樹脂製のレンズ封止体とから成り，前記一方のリード端子の先端に，他方のリード端子の方向に延びる板状延長片を設け，この板状延長片における先端面のうち前記レンズ封止体における光軸上の部位又はこれに近接する部位に，カップ状の光反射用凹所を設け，この光反射用凹所内に，前記他方のリード端子に金属線にて接続される発光ダイオードチップをダイボンディングする一方，前記光反射用凹所内に，透明コーティング体を，前記板状延長片における先端面から盛り上がるように充填して成る発光ダイオードランプにおいて，
前記板状延長片のうち一方のリード端子側の部分に，当該板状延長片の先端面における長手方向の長さ寸法を短くするようにした切欠部を設けることを特徴とする発光ダイオードランプ。
【請求項２】
前記請求項１の記載において，前記光反射用凹所を，前記板状延長片における先端面のうち前記切欠部側の端部から他方のリード端子側の端部との間の中間位置に設けることを特徴とする発光ダイオードランプ。
【発明の詳細な説明】
【技術分野】
【０００１】
本発明は，発光ダイオードチップの部分を，光透過性合成樹脂によるレンズ封止体にて封止して成る発光ダイオードランプに関するものである。
【背景技術】
【０００２】
一般に，この種の発光ダイオードチップは，例えば，特許文献１等に記載されているように，互いに平行に並べた二本の金属製リード端子のうち一方のリード端子の先端に，他方のリード端子に向かって延びる板状の延長片を一体に設け，この延長片における先端面の一部をカップ状に凹ませることにより，光反射用凹所を設け，この光反射用凹所における内底面に，発光ダイオードチップをダイボンディングし，この発光ダイオードチップと前記他方のリード端子の先端との間を，細い金属線にてワイヤボンディングし，そして，前記両リード端子における先端の部分を，光透過性合成樹脂によるレンズ封止体にて，前記発光ダイオードチップを内蔵した前記光反射用凹所がレンズ封止体における光軸上の焦点に略位置するように封止するという構成にしている。
【０００３】
また，この種の発光ダイオードチップにおいて，その発光ダイオードチップと，これを封止するレンズ封止体との間には，大きい熱膨張差が存在し，この大きい熱膨張差のために，前記発光ダイオードチップとレンズ封止体との間に亀裂が発生するおそれが大きい。
【０００４】
そこで，従来は，前記両リード端子における先端の部分を，光透過性合成樹脂によるレンズ封止体にて封止するには，これに先立って，前記板状延長片における光反射用凹所の内部に，予め，透明なシリコーン樹脂等の透明コーティング体を，当該透明コーティング体で前記発光ダイオードチップを覆い，且つ，当該透明コーティング体の一部が前記延長片の先端面から盛り上がるように充填しておき，この後において，前記レンズ封止体にて封止するようにしている。
【０００５】
この構成において，前記透明コーティング体のうち延長面の先端面より盛り上がる部分は，表面張力にて球形になって，内部レンズの作用を行うにことになるから，光の輝度を向上できる。
【特許文献１】特開平１−１５２６７６号公報
【発明の開示】
【発明が解決しようとする課題】
【０００６】
しかし，前記したように，板状延長片の先端面における光反射用凹所に，透明コーティング体を，前記先端面から盛り上がるように充填したとき，この透明コーティング体の一部が，前記先端面を伝ってその長手方向に広がることになる。
【０００７】
これに対し，従来の発光ダイオードチップにおいては，前記特許文献１等に記載されているように，前記発光ダイオードチップを内蔵する光反射用凹所を，前記一方のリード端子における板状延長片の先端面のうち，他方のリード端子側に近い位置，つまり，当該先端面における長手方向の中心位置から他方のリード端子の方向にずれた位置に設けるという構成にしている。
【０００８】
このために，前記先端面に盛り上がる透明コーティング体における前記先端面の長手方向への広がりのうち，前記他方のリード端子側への広がりよりも，前記一方のリード端子側の広がりの方が大きくなることにより，前記透明コーティング体のうち前記先端面よりも盛り上がって内部レンズを構成する部分は，前記光反射用凹所における中心，つまり，前記レンズ封止体における光軸から前記一方のリード端子側にずれることになり，ひいては，前記透明コーティング体のうち前記先端面よりも盛り上がる内部レンズにおける光軸が，前記レンズ封止体における光軸に対してずれることになるから，前記レンズ封止体からの光の発射方向が，当該レンズ封止体における光軸に対して傾くというように，光の指向性が低下するのであった。
【０００９】
この場合において，光の指向性の低下を回避するには，前記光反射用凹所を，前記板状延長片における先端面のうちその長手方向の中心位置，つまり，当該先端面のうち一方のリード端子側の端部から他方のリード端子側の端部までの間における中心位置に設けるようにすれば良い。
【００１０】
しかし，この構成にした場合，前記レンズ封止体における光軸上に前記光反射用凹所を位置しなければならないことにより，両リード端子のうち一方のリード端子が，前記レンズ封止体における光軸に近づく一方，他方のリード端子が前記レンズ封止体における光軸から離れることになるから，前記両リード端子を，前記レンズ封止体に対し，当該レンズ封止体における光軸から等しい距離の位置に配設することができず，換言すると，レンズ封止体が両リード端子に対して偏芯した形態になるのである。
【００１１】
本発明は，発光ダイオードチップを内蔵する光反射用凹所に透明コーティング体を充填した場合において，光の指向性が低下することを，両リード端子に対してレンズ封止体が偏芯した形態にならないようにすることができる状態のもとで，確実に防止することを技術的課題とするものである。
【課題を解決するための手段】
【００１２】
この技術的課題を達成するため本発明の請求項１は，
「金属による一対のリード端子と，この両リード端子の先端の部分を封止する光透過性合成樹脂製のレンズ封止体とから成り，前記一方のリード端子の先端に，他方のリード端子の方向に延びる板状延長片を設け，この板状延長片における先端面のうち前記レンズ封止体における光軸上の部位又はこれに近接する部位に，カップ状の光反射用凹所を設け，この光反射用凹所内に，前記他方のリード端子に金属線にて接続される発光ダイオードチップをダイボンディングする一方，前記光反射用凹所内に，透明コーティング体を，前記板状延長片における先端面から盛り上がるように充填して成る発光ダイオードランプにおいて，
前記板状延長片のうち一方のリード端子側の部分に，当該板状延長片の先端面における長手方向の長さ寸法を短くするようにした切欠部を設ける。」
ことを特徴としている。
【００１３】
また，本発明の請求項２は，
「前記請求項１の記載において，前記光反射用凹所を，前記板状延長片における先端面のうち前記切欠部側の端部から他方のリード端子側の端部との間の中間位置に設ける。」
ことを特徴としている。
【発明の効果】
【００１４】
前記請求項１に記載したように，前記板状延長片のうち一方のリード端子側の部分に切欠部を設けて，前記板状延長片の先端面における長手方向の長さ寸法を短くするという構成にすることにより，前記板状延長片の先端面のうち前記光反射用凹所から前記切欠部側の端部までの長さを，前記光反射用凹所をレンズ封止体の光軸上に位置し，且つ，一方のリード端子からレンズ封止体の光軸までの距離を他方のリード端子からレンズ封止体の光軸までの距離と等しく又は略等しくした状態のもとで，前記光反射用凹所から他方のリード端子側の端部までの長さに近づけることができる。
【００１５】
これにより，前記光反射用凹所内に充填した透明コーティング体のうち前記板状延長片の先端面より盛り上がって内部レンズを構成する部分が，一方のリード端子側にずれること，ひいては，前記透明コーティング体における内部レンズの光軸が，レンズ封止体の光軸からずれることを小さくできるから，前記レンズ封止体における光の指向性が前記透明コーティング体のために低下することを，両リード端子に対してレンズ封止体が偏芯した形態にならないようにすることができる状態のもとで，確実に防止できる。
【００１６】
特に，請求項２に記載した構成にすることにより，前記透明コーティング体における内部レンズの光軸が，レンズ封止体の光軸からずれることを殆ど無くするか或いはより僅少にできるから，前記した効果を助長できる利点がある。
【発明を実施するための最良の形態】
【００１７】
以下，本発明の実施の形態を，図１〜図３の図面について説明する。
【００１８】
本発明による発光ダイオードランプ１は，金属板製による一方のリード端子（アノードリード端子）２と，同じく金属板製による他方のリード端子（カソードリード端子）３と，これら両リード端子２，３の先端を封止する光透過性合成樹脂製のレンズ封止体４とによって構成されている。
【００１９】
前記一方のリード端子２における先端のうち前記レンズ封止体４にて封止される部分には，前記他方のリード端子３に向かって延びる板状の延長片５が一体に設けられている。
【００２０】
この板状延長片５における先端面６には，当該先端面６のうち前記レンズ封止体２における光軸２ａ上に位置に，カップ状の光反射用凹所７が凹み形成されている。
【００２１】
この光反射用凹所７における内径Ｄは，前記延長片５における板厚さＴの約２．００〜２．２５倍に大きくしてある。
【００２２】
また，この光反射用凹所７における内底面には，発光ダイオードチップ８が，当該発光ダイオードチップ８における一方の極が一方のリード端子２に電気的に接続するようにダイボンディングされている。
【００２３】
この発光ダイオードチップ８と，前記他方のリード端子３との間は，細い金属線９によるワイヤボンディングにて電気的に接続されている。
【００２４】
一方，前記光反射用凹所７の内部には，透明なシリコーン樹脂等の透明コーティング体１０が，当該透明コーティング体１０にて前記発光ダイオードチップ８及び一部の金属線９を覆い，且つ，当該透明コーティング体１０の一部が前記延長片５の先端面６から盛り上がるように充填されている。
【００２５】
なお，前記レンズ封止体４は，前記両リード端子２，３の先端の部分における前記延長片５，光反射用凹所７及び透明コーティング体１０等の全体を封止するものである。
【００２６】
そして，板状延長片５のうち一方のリード端子２側の部分に切欠部１１を設けることにより，当該延長片５の先端面６における長手方向の長さ寸法を，この切欠部１１によって，当初の長さ寸法Ｌ０からＬに短くするように構成する。
【００２７】
このように構成することにより，前記板状延長片５の先端面６のうち前記光反射用凹所７から前記切欠部１１側の端部６ａまでの長さＬ１を，前記光反射用凹所７をレンズ封止体４の光軸４ａ上に位置し，且つ，一方のリード端子２からレンズ封止体４の光軸４ａまでの距離Ｓ１を他方のリード端子３からレンズ封止体４の光軸４ａまでの距離Ｓ２と等しく又は略等しくした状態のもとで，前記切欠部１１を設けた分だけ，前記光反射用凹所７から他方のリード端子３側の端部６ｂまでの長さＬ２に近づけることができる。
【００２８】
これにより，前記光反射用凹所７内に充填した透明コーティング体１０のうち前記板状延長片５の先端面６より盛り上がって内部レンズを構成する部分が，一方のリード端子２側にずれること，ひいては，前記透明コーティング体１０における内部レンズの光軸が，レンズ封止体４の光軸４ａからずれることを小さくできる。
【００２９】
この場合において，前記光反射用凹所７を，前記板状延長片５における先端面６のうち前記切欠部１１側の端部６ａから他方のリード端子３側の端部６ｂとの間の中間位置に設けるというように，前記板状延長片５の先端面６のうち前記光反射用凹所７から前記切欠部１１側の端部６ａまでの長さＬ１と，前記光反射用凹所７から他方のリード端子３側の端部６ｂまでの長さＬ２とを等しく又は略等しくする構成にする。
【００３０】
このように構成することにより，前記透明コーティング体１０におけるにおける内部レンズの光軸が，レンズ封止体４の光軸４ａからずれることを殆ど無くするか或いはより僅少にできる利点がある。
【図面の簡単な説明】
【００３１】
【図１】本発明の実施の形態による発光ダイオードランプを示す縦断正面図である。
【図２】図１のII−II視断面図である。
【図３】図１における要部を示す拡大斜視図である。
【符号の説明】
【００３２】
１                          発光ダイオードランプ
２                          一方のリード端子
３                          他方のリード端子
４                          レンズ封止体
５                          板状延長片
６                          先端面
７                          光反射用凹所
８                          発光ダイオードチップ
９                          金属線
１０                        透明コーティング体
１１                        切欠部
【図１】
2006303184.tif 000003
【図２】
2006303184.tif 000004
【図３】
2006303184.tif 000005